(57)【要約】【課題】自動的な録音開始の条件として、ノイズレベルに基づいたスケルチ制御信号のみによらず最適な条件を設定して、適正な自動録音の制御を可能とすること。【解決手段】本発明は、受信信号のノイズレベルを検出してノイズレベル信号（NOISE）として出力するノイズレベル検出機能と、受信信号の信号強度を検出して信号強度信号(RSSI）として出力する信号強度検出機能を有する受信部と、前記受信信号もしくは復調信号を録音する録音部を備えた無線通信機において、前記信号強度が所定の信号強度しきい値以上であり、且つ、前記ノイズレベルが所定のノイズレベルしきい値以上の場合に、前記録音部における録音を開始するように制御する制御部を備えていることを特徴とする、録音機能を備えた無線通信機である。【選択図】図１
2014146957.tif 000002
【特許請求の範囲】
【請求項１】
受信信号のノイズレベルを検出してノイズレベル信号（NOISE）として出力するノイズレベル検出機能と、受信信号の信号強度を検出して信号強度信号(RSSI）として出力する信号強度検出機能を有する受信部と、前記受信信号もしくは復調信号を録音する録音部を備えた無線通信機において、
前記信号強度が所定の信号強度しきい値以上であり、且つ、前記ノイズレベルが所定のノイズレベルしきい値以上の場合に、前記録音部における録音を開始するように制御する制御部を備えていることを特徴とする、録音機能を備えた無線通信機。
【請求項２】
受信信号のノイズレベルを検出してノイズレベル信号（NOISE）として出力するノイズレベル検出機能と、受信信号の信号強度を検出して信号強度信号(RSSI）として出力する信号強度検出機能を有する受信部と、前記受信信号もしくは復調信号を録音する録音部を備えた無線通信機において、
前記信号強度の高低に関わらず、前記ノイズレベルが所定のノイズレベルしきい値以上の場合に、前記録音部における録音を開始するように制御する第１の設定と、
前記信号強度が所定の信号強度しきい値以上であり、且つ、前記ノイズレベルが所定のノイズレベルしきい値以上の場合に、前記録音部における録音を開始するように制御する第２の設定の、少なくとも２つの選択可能な設定を有する制御部を備えていることを特徴とする、録音機能を備えた無線通信機。
【請求項３】
受信信号のノイズレベルを検出してノイズレベル信号（NOISE）として出力するノイズレベル検出機能と、受信信号の信号強度を検出して信号強度信号(RSSI）として出力する信号強度検出機能を有する受信部と、前記受信信号もしくは復調信号を録音する録音部を備えた無線通信機において、
前記ノイズレベルしきい値は、第１ノイズレベルしきい値と、前記第１ノイズレベルしきい値より高いノイズレベルの第２ノイズレベルしきい値の、少なくとも２段階のしきい値が設定され、
前記信号強度の高低に関わらず、前記ノイズレベルが前記第１ノイズレベルしきい値以上の場合に、前記録音部における録音を開始するように制御する第１の設定と、
前記信号強度が所定の信号強度しきい値以上であり、且つ、前記ノイズレベルが前記第２ノイズレベルしきい値以上の場合に、前記録音部における録音を開始するように制御する第２の設定の、少なくとも２つの選択可能な設定を有する制御部を備えていることを特徴とする、録音機能を備えた無線通信機。
【請求項４】
受信信号のノイズレベルを検出してノイズレベル信号（NOISE）として出力するノイズレベル検出機能と、受信信号の信号強度を検出して信号強度信号(RSSI）として出力する信号強度検出機能を有する受信部と、前記受信信号もしくは復調信号を録音する録音部を備えた無線通信機において、
前記信号強度しきい値は、第１信号強度しきい値と、前記第１信号強度しきい値より高い信号強度の第２信号強度しきい値の、少なくとも２段階のしきい値が設定され、
前記ノイズレベルしきい値は、第１ノイズレベルしきい値と、前記第１ノイズレベルしきい値より高いノイズレベルの第２ノイズレベルしきい値と、前記第２ノイズレベルしきい値より高いノイズレベルの第３ノイズレベルしきい値の、少なくとも３段階のしきい値が設定され、
前記信号強度の高低に関わらず、前記ノイズレベルが前記第１ノイズレベルしきい値以上の場合に、前記録音部における録音を開始するように制御する第１の設定と、
前記信号強度が前記第１信号強度しきい値以上であり、且つ、前記ノイズレベルが前記第２ノイズレベルしきい値以上の場合に、前記録音部における録音を開始するように制御する第２の設定と、
前記信号強度が前記第２信号強度しきい値以上であり、且つ、前記ノイズレベルが前記第３ノイズレベルしきい値以上の場合に、前記録音部における録音を開始するように制御する第３の設定の、少なくとも３つの選択可能な設定を有する制御部を備えていることを特徴とする、録音機能を備えた無線通信機。
【請求項５】
受信信号のノイズレベルを検出してノイズレベル信号（NOISE）として出力するノイズレベル検出機能と、受信信号の信号強度を検出して信号強度信号(RSSI）として出力する信号強度検出機能を有する受信部と、前記受信信号もしくは復調信号を録音する録音部を備えた無線通信機における録音機能の制御方法において、
前記信号強度が所定の信号強度しきい値以上であり、且つ、前記ノイズレベルが所定のノイズレベルしきい値以上の場合に、前記録音部における録音を開始するように制御することを特徴とする録音機能の制御方法。
【発明の詳細な説明】
【技術分野】
【０００１】
本発明は、受信信号を録音する録音機能の制御方法および無線通信機に関するものである。
【背景技術】
【０００２】
録音機能を備えた受信機（無線機）は、所定の操作を行うことで録音を開始することができるが、そのような録音開始の操作を省くために、所定の設定条件で自動的に録音開始し、自動的に録音終了する自動録音機能を備えたものがある。（特許文献１参照。）
特許文献１においては、無線機のスケルチ機能を自動録音を開始するための判定条件に用いており、ノイズスケルチまたはトーンスケルチが開いた（ミュートが解除された）タイミングで録音を開始する技術が開示されている。
【先行技術文献】
【特許文献】
【０００３】
【特許文献１】実開平０２−４９２３８号公報
【発明の概要】
【発明が解決しようとする課題】
【０００４】
自動録音機能においては、スケルチが開いた場合に、充分な信号強度がないと、周囲のパソコンや計測器などで発生して混入したノイズだけが録音されてしまう可能性があった。
また、手動操作で録音を行った場合でも、信号の入感が無かったり、入感があっても信号強度が低すぎると、録音データが途切れたり、上記同様にほとんどノイズだけを録音する事態になるという問題があった。
【０００５】
本発明では、自動的な録音開始の条件として、ノイズレベルに基づいたスケルチ制御信号のみによらず、最適な条件を設定して、適正な自動録音の制御を可能とすることを目的としている。
【課題を解決するための手段】
【０００６】
本発明の請求項１に係る発明は、
受信信号のノイズレベルを検出してノイズレベル信号（NOISE）として出力するノイズレベル検出機能と、受信信号の信号強度を検出して信号強度信号(RSSI）として出力する信号強度検出機能を有する受信部と、前記受信信号もしくは復調信号を録音する録音部を備えた無線通信機において、
前記信号強度が所定の信号強度しきい値以上であり、且つ、前記ノイズレベルが所定のノイズレベルしきい値以上の場合に、前記録音部における録音を開始するように制御する制御部を備えていることを特徴とする、録音機能を備えた無線通信機である。
【０００７】
請求項２に係る発明は、
受信信号のノイズレベルを検出してノイズレベル信号（NOISE）として出力するノイズレベル検出機能と、受信信号の信号強度を検出して信号強度信号(RSSI）として出力する信号強度検出機能を有する受信部と、前記受信信号もしくは復調信号を録音する録音部を備えた無線通信機において、
前記信号強度の高低に関わらず、前記ノイズレベルが所定のノイズレベルしきい値以上の場合に、前記録音部における録音を開始するように制御する第１の設定と、
前記信号強度が所定の信号強度しきい値以上であり、且つ、前記ノイズレベルが所定のノイズレベルしきい値以上の場合に、前記録音部における録音を開始するように制御する第２の設定の、少なくとも２つの選択可能な設定を有する制御部を備えていることを特徴とする、録音機能を備えた無線通信機である。
【０００８】
請求項３に係る発明は、
受信信号のノイズレベルを検出してノイズレベル信号（NOISE）として出力するノイズレベル検出機能と、受信信号の信号強度を検出して信号強度信号(RSSI）として出力する信号強度検出機能を有する受信部と、前記受信信号もしくは復調信号を録音する録音部を備えた無線通信機において、
前記ノイズレベルしきい値は、第１ノイズレベルしきい値と、前記第１ノイズレベルしきい値より高いノイズレベルの第２ノイズレベルしきい値の、少なくとも２段階のしきい値が設定され、
前記信号強度の高低に関わらず、前記ノイズレベルが前記第１ノイズレベルしきい値以上の場合に、前記録音部における録音を開始するように制御する第１の設定と、
前記信号強度が所定の信号強度しきい値以上であり、且つ、前記ノイズレベルが前記第２ノイズレベルしきい値以上の場合に、前記録音部における録音を開始するように制御する第２の設定の、少なくとも２つの選択可能な設定を有する制御部を備えていることを特徴とする、録音機能を備えた無線通信機である。
【０００９】
請求項４に係る発明は、
受信信号のノイズレベルを検出してノイズレベル信号（NOISE）として出力するノイズレベル検出機能と、受信信号の信号強度を検出して信号強度信号(RSSI）として出力する信号強度検出機能を有する受信部と、前記受信信号もしくは復調信号を録音する録音部を備えた無線通信機において、
前記信号強度しきい値は、第１信号強度しきい値と、前記第１信号強度しきい値より高い信号強度の第２信号強度しきい値の、少なくとも２段階のしきい値が設定され、
前記ノイズレベルしきい値は、第１ノイズレベルしきい値と、前記第１ノイズレベルしきい値より高いノイズレベルの第２ノイズレベルしきい値と、前記第２ノイズレベルしきい値より高いノイズレベルの第３ノイズレベルしきい値の、少なくとも３段階のしきい値が設定され、
前記信号強度の高低に関わらず、前記ノイズレベルが前記第１ノイズレベルしきい値以上の場合に、前記録音部における録音を開始するように制御する第１の設定と、
前記信号強度が前記第１信号強度しきい値以上であり、且つ、前記ノイズレベルが前記第２ノイズレベルしきい値以上の場合に、前記録音部における録音を開始するように制御する第２の設定と、
前記信号強度が前記第２信号強度しきい値以上であり、且つ、前記ノイズレベルが前記第３ノイズレベルしきい値以上の場合に、前記録音部における録音を開始するように制御する第３の設定の、少なくとも３つの選択可能な設定を有する制御部を備えていることを特徴とする、録音機能を備えた無線通信機である。
【００１０】
請求項５に係る発明は、
受信信号のノイズレベルを検出してノイズレベル信号（NOISE）として出力するノイズレベル検出機能と、受信信号の信号強度を検出して信号強度信号(RSSI）として出力する信号強度検出機能を有する受信部と、前記受信信号もしくは復調信号を録音する録音部を備えた無線通信機における録音機能の制御方法において、
前記信号強度が所定の信号強度しきい値以上であり、且つ、前記ノイズレベルが所定のノイズレベルしきい値以上の場合に、前記録音部における録音を開始するように制御することを特徴とする録音機能の制御方法である。
【発明の効果】
【００１１】
本発明によれば、
受信信号のノイズレベルを検出してノイズレベル信号（NOISE）として出力するノイズレベル検出機能と、受信信号の信号強度を検出して信号強度信号(RSSI）として出力する信号強度検出機能を有する受信部と、前記受信信号もしくは復調信号を録音する録音部を備えた無線通信機において、
前記信号強度が所定の信号強度しきい値以上であり、且つ、前記ノイズレベルが所定のノイズレベルしきい値以上の場合に、前記録音部における録音を開始するように制御するので、前記しきい値を適切に設定することによって、録音データが途切れたり、ノイズのみを録音してしまうことを防止できる。
従って、録音されたデータに無駄が無く、録音部のメモリを無駄なく有効に利用することができる。
【図面の簡単な説明】
【００１２】
【図１】本発明に係る無線通信機のブロック図である。
【図２】実施例１における「ＡＵＴＯ」表示アイコンと「ＲＥＣ」表示アイコンの制御例を示した図である。
【図３】実施例２における３つの設定と、各設定におけるノイズレベルしきい値と信号強度しきい値の組み合わせを示した図である。
【発明を実施するための形態】
【００１３】
以下に、本発明を実施するための形態としての録音機能を備えた無線通信機および制御方法を図面を参照して説明する。
図１に示した無線通信機１は、送信部２と、受信部３と、録音部４と、制御部５と、操作／表示部６とを備えている。
前記送信部２は、マイク２１からの音声信号を増幅して、ＶＣＯ２２を用いて変調して増幅するように構成され、変調された信号はアンテナスイッチ１２を介してアンテナ１１から送信するように構成されている。
前記受信部３は、高周波回路３１、前記ＶＣＯ２２の発振周波数を利用した周波数変換回路３２、中間周波回路３３、復調回路３４、低周波回路３５、およびスピーカ３６を備えている。
前記復調回路３４は、ノイズレベルを検出してノイズレベル信号（NOISE）として出力するノイズレベル検出機能と、受信信号の信号強度を検出して信号強度信号(RSSI）として出力する信号強度検出機能を備えている。
上記各部、各回路の構成と動作は、基本的には公知の構成であるので、その説明は省略する。
【００１４】
前記録音部４は、
フラッシュメモリなどの電気的に書き換え可能な不揮発性メモリ４１と、前記メモリ４１に録音する機能および前記メモリ４１に録音された音声信号を再生する機能とを備えた録音制御回路４２と、復調された信号を前記録音制御回路４２へ入力するかミュートするかを切り換える第１ミュートスイッチ４３と、前記録音制御回路４２から出力される音声信号を前記低周波回路３５へ出力するかミュートするかを切り換える第２ミュートスイッチ４４とを備えている。
前記制御部５は、
当該無線通信機における自動録音制御方法および装置の全体を制御する機能を備えているが、特に、前記録音部４を制御する以下の録音制御機能を備えていることを特徴としている。
【００１５】
前記録音制御機能は、
前記復調回路３４から出力されるノイズレベル信号（NOISE）と信号強度信号(RSSI）とを予め設定されたノイズレベルしきい値と、信号強度しきい値と比較して、
前記信号強度信号(RSSI）が前記信号強度しきい値以上であり、且つ、前記ノイズレベル信号（NOISE）が前記ノイズレベルしきい値以上であるときに、録音開始信号ＣＴＬを前記録音部４へ出力して、前記録音部４における録音を開始させる機能である。
所定の設定操作を行って自動録音モードをＯＮに設定すると前記録音制御機能が作動し、所定の解除操作を行って自動録音モードをＯＦＦに設定すると前記録音制御機能が作動しない状態となる。なお、自動録音モードのＯＮ／ＯＦＦに関わらず所定の強制録音操作を行うと、前記ノイズレベル信号（NOISE）と前記信号強度信号(RSSI）のレベルの高低に関わらず、前記録音部４を制御して録音することができる。
なお、前記録音制御機能におけるノイズレベルしきい値と、通常の受信待機中のノイズスケルチ機能におけるしきい値は、それぞれ独立して別の値に設定できるものである。
【００１６】
次に、前記第１ミュートスイッチ４３と前記第２ミュートスイッチ４４の制御例を説明する。
前記第１ミュートスイッチ４３は、前記制御部５からのＭＵＴＥ信号によって開閉制御されるスイッチである。前記ＭＵＴＥ信号は、スケルチオープンになったときには前記第１ミュートスイッチ４３において前記復調信号をミュートせずに前記録音制御回路４２へ入力させるように制御する。
この状態で、前記録音開始信号ＣＴＬが前記制御部５から前記録音制御回路４２へ出力されると、前記録音制御回路４２は録音を開始する。
前記ＭＵＴＥ信号は、前記制御部５から前記録音制御回路４２へ再生制御信号が出力されて、前記メモリ４１に録音された音声信号を再生する機能が動作するときには、前記第１ミュートスイッチ４３において前記復調信号をミュートするように制御する。
前記第１ミュートスイッチ４３によって、録音時には、前記復調信号を前記録音制御回路４２へ入力させ、再生時には、復調信号が再生信号に混入しないようにミュートする。
【００１７】
前記第２ミュートスイッチ４４は、前記制御部５からのＰＬＡＹ信号によって開閉制御されるスイッチである。前記ＰＬＡＹ信号は、前記制御部５から前記録音制御回路４２へ再生制御信号が出力されるタイミングに合わせて、前記制御部５から前記第２ミュートスイッチ４４へ出力されて前記第２ミュートスイッチ４４をＯＮにして、再生された音声信号が前記低周波回路３５へ入力するように制御され、
録音時に、前記録音開始信号ＣＴＬが前記制御部５から前記録音制御回路４２へ出力されると、前記制御部５から前記第２ミュートスイッチ４４をＯＦＦにして、前記録音制御回路４２から余分な信号が前記低周波回路３５へ入力されないように制御される。
【００１８】
前記操作／表示部６は、当該無線通信機における自動録音制御方法および装置を操作するための各種操作キーと、当該無線通信機における自動録音制御方法および装置の動作状態等の各種ステータス情報を表示する表示装置とを備えている。前記表示装置としては、前記録音部４の状態に応じて点灯、点滅、もしくは消灯の何れかの状態に制御される「ＡＵＴＯ」表示アイコン６１、「ＲＥＣ」表示アイコン６２、およびその他のアイコンや表示部を備えている。
【実施例１】
【００１９】
以下に、実施例１において、自動録音モードがＯＮに設定されている場合の前記録音部４における動作を説明する。
（１）前記信号強度信号(RSSI）が前記信号強度しきい値未満であって、前記ノイズレベル信号（NOISE）も前記ノイズレベルしきい値未満である場合は、前記録音開始信号ＣＴＬは出力されないので、前記録音部４における録音は開始されない。
したがって、自動録音モードがＯＮの状態では、たとえユーザが任意でスケルチをオープン（通常の受信待機中のノイズスケルチ機能をＯＦＦ）させた場合でも、自動録音開始判定用のノイズスケルチ機能はＯＮのままであるので、受信信号が無い状態（ノイズレベルも信号強度レベルも自動録音開始判定用のしきい値未満である状態）では録音が開始されない。
（２）前記信号強度信号(RSSI）が前記信号強度しきい値以上になっても、前記ノイズレベル信号（NOISE）が前記ノイズレベルしきい値未満であるか、もしくは、前記ノイズレベル信号（NOISE）が前記ノイズレベルしきい値以上になっても、前記信号強度信号(RSSI）が前記信号強度しきい値未満であれば、前記録音開始信号ＣＴＬは出力されないので、前記録音部４における録音は開始されない。
（３）前記信号強度信号(RSSI）が前記信号強度しきい値以上になり、且つ、前記ノイズレベル信号（NOISE）が前記ノイズレベルしきい値以上になると、前記録音開始信号ＣＴＬが出力されるので、前記録音部４における録音が開始される。
（４）前記信号強度信号(RSSI）が前記信号強度しきい値未満になるか、もしくは、前記ノイズレベル信号（NOISE）が前記ノイズレベルしきい値未満になると、前記録音開始信号ＣＴＬは出力されなくなるので、前記録音部４における録音は停止する。
【００２０】
以下に、前記「ＡＵＴＯ」表示アイコン６１と「ＲＥＣ」表示アイコン６２の制御例を説明する。
自動録音モードがＯＦＦに設定されている場合、所定のファンクションモードにおける設定操作等のような所定の設定操作を行い自動録音モードをＯＮに設定すると、図２の（Ａ）に示したように、前記「ＡＵＴＯ」表示アイコン６１が例えば点灯して、自動録音待機中であることを表示する。
自動録音モードがＯＮに設定されている場合、所定のファンクションモードにおける設定解除操作等のような所定の解除操作を行い自動録音モードをＯＦＦに設定変更すると、前記「ＡＵＴＯ」表示アイコン６１が例えば点灯表示から消灯に変り、自動録音モードが解除されていることを表示する。
これらの自動録音モードのＯＮもしくはＯＦＦの状態は、当該無線通信機における自動録音制御方法および装置の電源を切っても保持される。
【００２１】
自動録音モードがＯＮ設定のとき、前記信号強度信号(RSSI）が前記信号強度しきい値以上になり、且つ、前記ノイズレベル信号（NOISE）が前記ノイズレベルしきい値以上になって、前記録音開始信号ＣＴＬが出力され、前記録音部４における録音が開始されると、図２の（Ｂ）に示したように、前記「ＡＵＴＯ」表示アイコン６１と「ＲＥＣ」表示アイコン６２の両方が点灯表示する。
また、自動録音モードがＯＮ設定のとき、前記録音開始信号ＣＴＬが出力されていない状態で、前述したような所定の強制録音操作を行うと、図２の（Ｃ）に示したように、前記「ＡＵＴＯ」表示アイコン６１が消灯し、前記「ＲＥＣ」表示アイコン６２のみが点灯表示して、前記録音部４における録音が開始される。
なお、以上の点灯／消灯の制御例に限定されるものではなく、点滅表示や、発光色を変える等の種々の形態で録音機能の状態を表示させることが可能である。
【実施例２】
【００２２】
次に、実施例２において、自動録音モードがＯＮに設定されている場合に、前記録音開始信号ＣＴＬが出力されて、前記録音部４における録音制御の動作を以下に説明する。
実施例２では、前記録音部４における録音が開始される条件設定が、以下の第１の設定、第２の設定、第３の設定の、３段階の設定のうち、何れかの設定を選択して設定することができる。
前記ノイズレベルしきい値は、最も低い第１ノイズレベルしきい値、少し高い第２ノイズレベルしきい値、さらに高い第３ノイズレベルしきい値と、３段階に設定されている。
また、前記信号強度しきい値は、最も低い第１信号強度しきい値、より高い第２信号強度しきい値と、２段階に設定されている。
図３に、前記３つの設定と、各設定におけるノイズレベルしきい値と信号強度しきい値の組み合わせを示した。
【００２３】
なお、具体例としては、
前記第１ノイズレベルしきい値は５０Ω終端でスケルチレベル１相当のノイズレベル信号、前記第２ノイズレベルしきい値は５０Ω終端でスケルチレベル５相当のノイズレベル信号、前記第３ノイズレベルしきい値は５０Ω終端でスケルチレベル１０相当のノイズレベル信号であり、
前記第１信号強度しきい値は５０Ω終端で信号強度（ＲＳＳＩの電圧）が０ｄＢμＶ相当、
前記第２信号強度しきい値５０Ω終端で信号強度（ＲＳＳＩの電圧）が＋２０ｄＢμＶ相当である。
【００２４】
（１）第１の設定
前記ノイズレベル信号（NOISE）が前記ノイズレベルしきい値未満である場合は、前記録音開始信号ＣＴＬは出力されないので、前記録音部４における録音は開始されない。
しかし、前記ノイズレベル信号（NOISE）が前記第１ノイズレベルしきい値以上になると、前記信号強度信号(RSSI）のレベルの高低に関わらず、前記録音開始信号ＣＴＬが出力され、前記録音部４における録音が開始される。この第１の設定では、前記信号強度信号(RSSI）は監視しない。
【００２５】
（２）第２の設定
前記ノイズレベル信号（NOISE）が前記第２ノイズレベルしきい値未満であるか、または、前記信号強度信号(RSSI）が前記第１信号強度しきい値未満である場合は、前記録音開始信号ＣＴＬは出力されないので、前記録音部４における録音は開始されない。
前記ノイズレベル信号（NOISE）が前記第２ノイズレベルしきい値以上になり、且つ、前記信号強度信号(RSSI）が前記第１信号強度しきい値以上になると、前記録音開始信号ＣＴＬが出力され、前記録音部４における録音が開始される。この第２の設定では、前記ノイズレベル信号（NOISE）と前記信号強度信号(RSSI）の両方を監視する。
【００２６】
（３）第３の設定
前記ノイズレベル信号（NOISE）が前記第３ノイズレベルしきい値未満であるか、または、前記信号強度信号(RSSI）が前記第２信号強度しきい値未満である場合は、前記録音開始信号ＣＴＬは出力されないので、前記録音部４における録音は開始されない。
前記ノイズレベル信号（NOISE）が前記第３ノイズレベルしきい値以上になり、且つ、前記信号強度信号(RSSI）が前記第２信号強度しきい値以上になると、前記録音開始信号ＣＴＬが出力され、前記録音部４における録音が開始される。この第３の設定では、前記ノイズレベル信号（NOISE）と前記信号強度信号(RSSI）の両方を監視するが、前記第２の設定のときよりも強い入感が無ければ録音が開始されない。
【００２７】
ユーザは、上記３段階の設定（第１の設定、第２の設定、第３の設定）の何れかを選択して設定することができるので、録音データが途切れても構わずに感度ぎりぎりまで録音するような第１の設定を選択することもでき、また、一定強度の信号以外は録音しないような第３の設定を選択することもできるので、ユーザの好みや状況に応じて最もふさわしい設定を選ぶことが可能となる。
【００２８】
以上においては、復調信号を録音する場合の動作を説明したが、図１に示したように、前記録音制御回路４２と前記送信部２とは音声入出力配線４５によって接続されているので、前記マイク２１から入力された音声信号を前記メモリ４１に録音し、前記メモリ４１に録音した前記音声信号を再生して前記送信部２から無線送信することも可能である。
【符号の説明】
【００２９】
１  無線通信機
３  受信部
４  録音部
５  制御部
６  操作／表示部
３４  復調回路（ノイズレベル検出機能、信号強度検出機能）
【図１】
2014146957.tif 000003
【図２】
2014146957.tif 000004
【図３】
2014146957.tif 000005